(57)【要約】【課題】バックルに加えられた衝撃をプラグが吸収し、プラグの脚部の破損を防ぐバックル用のプラグそれを用いたバックルを提供する。【解決手段】所定の部材に取り付けられる取付部２４と、取付部２４から離間するように延出する一対の脚部２０を備える。脚部２０の先端部２０ａ寄りの位置に係合部２２を有する。脚部２０は、取付部２４と係合部２２の間に、脚部２０の延出方向に所定間隔をあけて、複数個の屈曲点２６，２８，６６，６８，７０，７２を有し、屈曲点２６，２８，６６，６８，７０，７２で折り曲げられた形状である。脚部２０は、屈曲を伸ばして直線にした状態の全長は、取付部２４から先端部２０ａまでの長さの１１０％〜１３０％である。脚部２０の、屈曲点２６，２８，６６，６８，７０，７２近傍の角度は、脚部２０の延出方向に対して１０°〜１５°の角度である。【選択図】図１
2020089630.tif 000002
【特許請求の範囲】
【請求項１】
互いに連結及び連結解除可能であり、各々所定の部材に取り付けられるプラグ（１２，６４）とソケット（１４）から成るバックル（１０）に用いられるプラグ（１２，６４）であって、
前記所定の部材に取り付けられる取付部（２４）と、前記取付部（２４）から離間するように同方向に延出する一対の脚部（２０）を備え、
前記脚部（２０）が延出した先端部（２０ａ）寄りの位置に係合部（２２）が形成され、
前記脚部（２０）は、前記取付部（２４）と前記係合部（２２）の間に、前記脚部（２０）の延出方向に所定間隔をあけて、複数個の屈曲点（２６，２８，６６，６８，７０，７２）が設けられ、前記屈曲点（２６，２８，６６，６８，７０，７２）で折り曲げられた形状であることを特徴とするバックル用のプラグ。
【請求項２】
前記脚部（２０）には、各々対向する左右方向に連続して複数個の屈曲点（２６，２８，６６，６８，７０，７２）が設けられている請求項１記載のバックル用のプラグ。
【請求項３】
前記脚部（２０）の基端部（２０ｂ）から前記先端部（２０ａ）向かって、最初の屈曲点（２６，６６）までは、一対の前記脚部（２０）は互いに左右方向に近づく方向、又は離れる方向に曲がっている請求項１又は２記載のバックル用のプラグ
【請求項４】
前記脚部（２０）には、各々２個の前記屈曲点（２６，２８）が設けられ、前記一対の脚部（２０）が互いに対向する左右方向に、２回折り曲げられてＳ字形状に形成されている請求項１，２又は３記載のバックル用のプラグ。
【請求項５】
前記脚部（２０）は、屈曲を伸ばして直線にした状態の全長は、前記取付部（２４）から前記先端部（２０ａ）までの長さの１１０％〜１３０％である請求項１乃至４のいずれか記載のバックル用のプラグ。
【請求項６】
前記脚部（２０）の、前記屈曲点（２６，２８，６６，６８，７０，７２）近傍の角度は、前記脚部（２０）の延出方向に対して、絶対値が１０°〜１５°の角度となる請求項１乃至５のいずれか記載のバックル用のプラグ。
【請求項７】
前記請求項１乃至６のいずれかに記載のプラグ（１２，６４）と、前記プラグ（１２，６４）に連結可能に設けられたソケット（１４）とから成ることを特徴とするバックル。
【発明の詳細な説明】
【技術分野】
【０００１】
この発明は、テープやベルトその他の部材の別々の部分同士を分離可能に連結するプラグとソケットからなるバックルに用いられるプラグと、それを用いたバックルに関する。
【背景技術】
【０００２】
従来、二つの連結対象物を着脱自在に連結するバックルとして、例えば特許文献１に開示されているバックルがある。このバックルは、プラグとソケットから成り、プラグは、幅方向両端部から互いに一方向に伸びる一対の脚部と、一対の脚部の先端部にそれぞれ互いに離れる方へ突出する係止部が設けられている。ソケットは、プラグの脚部を収容する本体部を有し、本体部は上部平板部、右側壁部、左側壁部、下部平板部で形成されている。右側壁部及び左側壁部の後端部には、プラグの脚部の係止部が係止する被係合部が設けられ、プラグの係止部が、ソケットの係止孔の被係合部に当接し、引抜不可となる。
【先行技術文献】
【特許文献】
【０００３】
【特許文献１】実用新案登録第３２０７６９０号公報
【発明の概要】
【発明が解決しようとする課題】
【０００４】
上記背景技術の場合、バックルのプラグとソケットに引っ張り方向に衝撃が加えられると、プラグの脚部の根元に大きな力が掛かり脚部が破損する場合がある。脚部が破損すると、ソケットとの連結が不用意に解除され、使用不可能となる。
【０００５】
この発明は、上記背景技術の問題点に鑑みてなされたものであり、バックルに加えられた衝撃をプラグが吸収し、プラグの脚部の破損を防ぐバックル用のプラグそれを用いたバックルを提供することを目的とする。
【課題を解決するための手段】
【０００６】
この発明は、互いに連結及び連結解除可能であり、各々所定の部材に取り付けられるプラグとソケットから成るバックルに用いられるプラグであって、前記所定の部材に取り付けられる取付部と、前記取付部から離間するように同方向に延出する一対の脚部を備え、前記脚部が延出した先端部寄りの位置に係合部が形成され、前記脚部は、前記取付部と前記係合部の間に、前記脚部の延出方向に所定間隔をあけて、複数個の屈曲点が設けられ、前記屈曲点で折り曲げられて蛇行する曲線で形成され、弾力性を有して衝撃を吸収可能に設けられているバックル用のプラグである。
【０００７】
前記脚部には、各々対向する左右方向に連続して複数個の屈曲点が設けられているものである。さらに、前記脚部の基端部から前記先端部向かって、最初の屈曲点までは、一対の前記脚部は互いに左右方向に近づく方向、又は離れる方向に曲がっているものである。
【０００８】
前記脚部には各々２個の前記屈曲点が設けられ前記一対の脚部が互いに対向する左右方向に、２回折り曲げられてＳ字形状に形成されている。前記脚部には、各々３個以上の前記屈曲点が設けられてもよい。
【０００９】
前記脚部は、屈曲を伸ばして直線にした状態の全長は、前記取付部から前記先端部までの長さの約１１０％〜１３０％である。前記脚部の、前記屈曲点近傍の角度は、前記脚部の延出方向に対して、絶対値が１０°〜１５°の角度となる。
【００１０】
またこの発明は、前記プラグと、前記プラグに連結可能に設けられたソケットとから成るバックルである。
【発明の効果】
【００１１】
この発明のバックル用のプラグ及びバックルによれば、プラグの脚部が蛇行する曲線で形成されているため、スプリング様でダンパー効果があり、バックルに加えられた衝撃を吸収し、プラグが、脚部の根元から若しくは脚部の途中で破損することを防ぐ。これにより、破損してソケットとの連結が不用意に解除されることが無く、安全である。また破損により使用不可能となることを防ぐ。
【図面の簡単な説明】
【００１２】
【図１】この発明の一実施形態のバックルのプラグとソケットの非係合状態を示す斜視図である。
【図２】この実施形態のバックルのプラグとソケットの連結状態を示す斜視図である。
【図３】この実施形態のバックルのプラグの平面図（ａ）、正面図（ｂ）、右側面図（ｃ）、底面図（ｄ）である。
【図４】この実施形態のバックルのソケットの平面図（ａ）、正面図（ｂ）、背面図（ｃ）、底面図（ｄ）である。
【図５】この実施形態のバックルのプラグの変形例を示す平面図（ａ）、正面図（ｂ）、右側面図（ｃ）、底面図（ｄ）である。
【発明を実施するための形態】
【００１３】
以下、この発明の一実施形態のバックル１０について、図１〜図４を基にして説明する。このバックル１０は、プラグ１２と、プラグ１２が嵌合して係合されるソケット１４とから成るもので、互いに任意に連結及び連結解除されるベルトやテープ等の部材に各々取り付けられる。以後の説明において、プラグ１２の後述する一対の脚部２０の延出方向を前方向とし逆を後方向とし、前後方向と直交する方向であって一対の脚部２０が互いに対向する方向を左右方向とし、左右方向及び前後方向に直交する方向を表裏方向または厚み方向という。
【００１４】
プラグ１２は、例えばポリアセタール、ポリアミド、ポリプロピレン等の合成樹脂で一体成形により形成されている。プラグ１２は、図３に示すように、ベルトやテープ等の部材を取り付ける取付部であるテープ通し部２４と、テープ通し部２４から離間するように同方向に延出し、ソケット１４に挿入される一対の脚部２０と、脚部２０の先端部２０ａ寄りの位置に一体に設けられた係合部２２とを備える。
【００１５】
一対の脚部２０は、互いに対称な形状で等しい長さに延出し、テープ通し部２４に連続する基端部２０ｂから、先端部２０ａに向かう延出方向は互いに平行である。各脚部２０は、延出方向に沿って第１屈曲点２６と第２屈曲点２８が所定間隔をあけて設けられ、Ｓ字形状に蛇行する曲線で形成されている。一対の脚部２０は、まず、テープ通し部２４に連続する基端部２０ｂ近傍はテープ通し部２４から離れるに従って互いに近づくように前後方向に対して傾斜し、基端部２０ｂから少し離れた位置に第１屈曲点２６があり、第１屈曲点２６では、左右方向に一対の脚部２０が互いに離れる方向に曲がっている。
【００１６】
脚部２０の第１屈曲点２６近傍の角度は、図３に示すように、第１屈曲点２６まで、前後方向に対して角度α１で近づき、角度α２で離れる。第１屈曲点２６と先端部２０ａの間には、第２屈曲点２８があり、第２屈曲点２８では、左右方向に一対の脚部２０が互いに近づく方向に曲がっている。脚部２０の第２屈曲点２８の近傍の角度は、前後方向に対して角度β１で近づき、角度β２で離れる。第２屈曲点２８と先端部２０ａの間の、一対の脚部２０の互いに対面しない外側面は、外側に膨らんだ形状の操作部３０となる。ここで、角度α１、角度α２、角度β１、角度β２は、絶対値が１０°〜１５°の範囲の任意の角度であり、全てが同じでも良く、全てが異なるものでも良く、α１とα２、又はβ１とβ２は同じで、αとβとは異なるものでも良い。脚部２０は、屈曲を伸ばして直線状にした状態の全長は、図３に示すテープ通し部２４から先端部２０ａまでの長さＬの約１１０％〜１３０％で、例えば１２０％である。
【００１７】
係合部２２は、脚部２０の先端部２０ａ寄りの位置の表裏方向の両方に突出して各々設けられ、脚部２０の基端部２０ｂ側に面して、係止段部２２ａが設けられている。係止段部２２ａは、後述するソケット１４の被係合部５０又は収容凹部６２に係合可能に形成されている。
【００１８】
一対の脚部２０の、先端部２０ａ付近の互いに対面する内側面には、先端部２０ａ近傍同士を連結するＵ字形のブリッジ３２が一体に設けられている。ブリッジ３２の両端部は、先端部２０ａ付近の内側面に連続し、ブリッジ３２の中央部分は基端部２０ｂ側へ向かって延出し、一対の脚部２０の第１屈曲点２６の側方付近でＵ字状に湾曲している。
【００１９】
一対の脚部２０の、基端部２０ｂ付近の互いに対面する内側面には、一対の脚部２０の基端部２０ｂ近傍同士を連結するＶ字形のブリッジ３３が一体に設けられている。ブリッジ３３は、ブリッジ３２よりも少し太く形成され、ブリッジ３３の両端部は、基端部２０ｂ付近の内側面に連続し、ブリッジ３３の中央部分は先端部２０ａ側へ向かって延出し、一対の脚部２０の第１屈曲点２６に達しない位置でＶ字形に折曲がられ、ブリッジ３２とはわずかな隙間を有している。
【００２０】
テープ通し部２４は、両端部から脚部２０の基端部２０ｂが連結されて延出する第１バー３４と、第１バー３４の脚部２０とは反対側に位置する第２バー３６とが、左右方向に平行に設けられ、第１バー３４と第２バー３６の両端部は、各々側面部３８で互いに連結されている。第１バー３４と第２バー３６の間には、テープ挿通孔２４ａが形成されている。さらに、第１バー３４と、一対の脚部２０のブリッジ３３で囲まれる部分も空間が設けられ、テープ挿通孔２４ｂを形成している。
【００２１】
プラグ１２の各部の厚みは、テープ通し部２４の側面部３８よりも脚部２０は薄く形成され、脚部２０の基端部２０ｂ付近は、側面部３８と脚部２０の間の厚みである。ブリッジ３３は、基端部２０ｂとほぼ同じ厚みで形成され、Ｖ字形の先端部分は少し薄く形成され、後述するソケット１４のガイド突起５８が嵌合される溝部３３ａとなる。係合部２２は、脚部２０から表裏方向の両側に突出して厚くなり、突出した面は平坦で、基端部２０ｂ及びブリッジ３３の厚みよりは少し薄い。ブリッジ３２は最も薄く、脚部２０よりも薄い。
【００２２】
ソケット１４も、例えばポリアセタール、ポリアミド、ポリプロピレン等の合成樹脂で一体成形により形成されている。ソケット１４は、図４に示すように、プラグ１２の脚部２０が挿入される嵌合部４０と、ベルトやテープ等の部材を取り付けるテープ通し部４２とから成る。テープ通し部４２には、テープ部材等を挿通するテープ挿通孔４２ａと、テープ部材等を連結する連結バー４４が設けられ、連結バー４４の両端部は、前後方向に長い一対の側面部４５に連結されている。
【００２３】
側面部４５の、連結バー４４とは反対側に位置する端部には、表面部４６と裏面部４８が互いに所定間隔を開けて対面して設けられ、プラグ１２が挿入される嵌合部４０を形成している。表面部４６は略Ｈ字形であり、側面部４５の延長方向に位置しでテープ通し部４２とは反対側に伸びる板状の一対の長板部４６ａと、長板部４６ａに略直角に交差する短い横板部４６ｂにより形成されている。横板部４６ｂは、長板部４６ａの、テープ通し部４２から離れた端部に近い位置に設けられている。裏面部４８は、表面部４６とほぼ同じＨ字形であり、側面部４５の延長に位置しでテープ通し部４２とは反対側に伸びる板状の一対の長板部４８ａと、長板部４８ａに略直角に交差する短い横板部４８ｂにより形成されている。横板部４８ｂは、長板部４８ａの、テープ通し部４２から離れた端部に近い位置に設けられている。裏面部４８は、一対の長板部４８ａの、テープ挿通孔４２ａ側に位置する角部が、矩形に切り欠かれて被係合部５０が設けられている。
【００２４】
表面部４６と裏面部４８は、互いに対面して所定間隔離れて対面し、テープ通し部４２とは反対側の端部には、表面部４６の長板部４６ａの外側の端部と、裏面部４８の長板部４８ａの外側の端部を連結した片持ち梁状の側面部５２が各々設けられている。側面部５２は、左右に一対設けられ、嵌合部４０は筒状に形成され、側面部５２との間に操作用の空間が形成されている。表面部４６と裏面部４８の間には、プラグ１２が挿入される収容空間４０ｂが形成され、収容空間４０ｂの、テープ通し部４２と反対側は、プラグ１２が挿入される挿入口４０ａとなる。
【００２５】
側面部５２は、挿入口４０ａから、テープ通し部４２の側面部４５の近傍に達する細長い板体であり、挿入口４０ａ側の端部は、表面部４６と裏面部４８に連結されて挿入口４０ａの一部となり、この部分を固定端とし、反対側の側面部４５近傍の端部は自由端となる片持ち梁であり、左右方向に揺動する。この揺動する自由端は操作部５４となり、ソケット１４に係合したプラグ１２の係合を解除するものである。操作部５４の外側面は、僅かに外側へなだらかに延出して外側から押しやすい形状であり、内側面には小さい突起が収容空間４０ｂに向かって突出し、係合したプラグ１２の細い操作部３０を確実に押す形状である。なお、表面部４６と裏面部４８は、挿入口４０ａ側の端部の短い部分のみが側面部５２に連続して挿入口４０ａを筒状に形成し、挿入口４０ａから離れて側面部４５に達するまでの間は、スリット５６となり開口している。
【００２６】
表面部４６と裏面部４８の、互いに対面しない外側面は、平坦に形成されている。表面部４６の内側面には、横板部４６ｂを前後方向に縦断する直線状のガイド突起５８と、スリット５６に沿ってカーブして形成されるガイド突起６０が左右に一対設けられている。一対のガイド突起６０は、挿入口４０ａからテープ通し部４２のテープ挿通孔４２ａに向かうに従い左右方向の幅が狭くなるように位置している。即ち、一対のガイド突起６０の互いに対面する両側壁が、脚部２０の弾性変形を行うガイド面となり、挿入口４０ａに差し込まれた一対の脚部２０は、差し込み量が増えるとガイド突起６０に沿って互いに近づくように弾性変形する。ガイド突起６０は、挿入口４０ａからテープ挿通孔４２ａまで連続して形成され、テープ挿通孔４２ａに連続する部分に、脚部２０の係合部２２が収容される収容凹部６２が形成されている。
【００２７】
収容凹部６２は、突起６０のガイド面を矩形に切り欠いた形状であり、収容凹部６２はテープ通し部４２に対面する内壁を有し、内壁はプラグ１２の係合部２２の係止段部２２ａに対面して引抜不可となる。なお、収容凹部６２は、被係合部５０に対向する位置にあり、被係合部５０とほぼ同じ形状である。
【００２８】
裏面部４８の内側面には、表面部４６と同様に横板部４８ｂを前後方向に縦断する直線状のガイド突起５８と、スリット５６に沿ってカーブして形成されるガイド突起６０が左右に一対設けられている。一対のガイド突起６０は、挿入口４０ａからテープ通し部４２のテープ挿通孔４２ａに向かうに従い左右方向の幅が狭くなるように位置し、被係合部５０に達している。
【００２９】
次に、この実施形態のバックル１０の係合動作及び使用方法について以下に説明する。まず、このバックル１０のプラグ１２について、テープ部材等の取り付け方法を簡単に説明する。プラグ１２のテープ通し部２４には、第１バー３４と第２バー３６が設けられ、連結用の図示しないテープ部材は、プラグ１２の裏面側からテープ挿通孔２４ｂに挿入され、第１バー３４の外周を経て、テープ挿通孔２４ａの表面側から裏面側に挿入されて、自身のテープ部材に重ねられ、長さ調節自在に引き出される。一方、ソケット１４に取り付けられる図示しないテープ部材等は、１本の連結バー４４に調節不能に連結される。
【００３０】
プラグ１２とソケット１４の係合動作は、プラグ１２の脚部２０をソケット１４の挿入口４０ａに対向させて、プラグ１２をソケット１４内へ押し込む。脚部２０が収容空間４０ｂ内に挿入されると、上下左右の４個のガイド突起６０で囲まれ、プラグ１２の挿入に従いガイド突起６０の間隔が狭くなるため脚部２０は互いに近づくように弾性変形する。そして、脚部２０の係合部２２が表面部４６の収容凹部６２、または裏面部４８の被係合部５０に達すると弾性変形が復元し、収容凹部６２または被係合部５０に嵌合される。係合部２２の、テープ通し部２４側に交差して対面する係止段部２２ａが、被係合部５０または収容凹部６２のテープ通し部４２側に交差して対面する内壁に当接し、引抜不可となり係合し、確実にプラグ１２とソケット１４が連結され、図２に示す係合状態となる。この時、プラグ１２のブリッジ３３は、ソケット１４の挿入口４０ａに嵌合され、挿入口４０ａを閉鎖する。そして、ソケット１４のガイド突起５８が、プラグ１２のブリッジ３３の溝部３３ａに嵌合され、左右方向に互いにずれることが無い。プラグ１２の操作部３０は、ソケット１４のスリット５６から外側に突出し、ソケット１４の操作部５４が僅かな隙間を有して対向する。
【００３１】
次に、プラグ１２とソケット１４が係合した状態で、バックル１０に衝撃力が加えられた場合について説明する。バックル１０のプラグ１２とソケット１４を引き離す方向に衝撃力が作用すると、脚部２０に強い引っ張り力が働くが、脚部２０の第１屈曲点２６と第２屈曲点２８の角度αと角度βが変化し、脚部２０の屈曲が延びるように脚部２０自身が弾性変形し、衝撃を吸収する。これにより、脚部２０が破損することを防ぐ。
【００３２】
プラグ１２とソケット１４との連結を解除するには、一対の操作部５４を外側方から押圧して、プラグ１２の操作部３０を押し込み、プラグ１２の脚部２０を、係合部２２がソケット１４の被係合部５０または収容凹部６２の内壁と対面しない位置まで弾性変形させる。この状態で、プラグ１２とソケット１４が互いに離れる方向に僅かに相対的に移動させると、容易に係合が解除される。
【００３３】
この実施形態のバックル１０によれば、プラグ１２の脚部２０が第１屈曲点２６と第２屈曲点２８で緩やかに折り曲げられて蛇行する曲線で形成され、脚部２０に衝撃的な強い張力が作用した場合に、屈曲が延びるように弾性変形し、スプリングの様なダンパー効果を発揮して、衝撃を吸収することができる。従って、プラグ１２とソケット１４が係合した状態でバックル１０に強い張力が衝撃的に加えられても、衝撃を確実に吸収し、プラグ１２の脚部２０の破損を防ぐことができる。さらに、プラグ１２の脚部２０が破損してソケット１４と連結が不用意に解除されることが無く、安全である。また破損により使用不可能となることを防ぎ、脚部２０が破損しにくいため耐久性が向上する。その他、係合部２２は、脚部２０から、表裏方向に突出し、ソケット１４の表面部４６と裏面部４８に係止されるため、引張力が加えられた時に左右方向にモーメントが発生せず、安定して係止され係合力が高い。
【００３４】
さらに、第１屈曲点２６と第２屈曲点２８が脚部２０の長手方向に所定間隔をあけて配置されているため、左右弾性変形のみではなく、前後方向の弾性変形にも耐えることができる。脚部２０は適度な弾力性を有するため、解除する操作が容易でありリリース力が軽い。脚部２０の蛇行する幅が大きすぎることが無く、弾力性が過大とならず適度なものとなり、高い係合力を有する。
【００３５】
なお、この発明のバックル用のプラグは、３個以上の屈曲点が設けられてもよい。例えば、図５に示すプラグ６４の脚部２０は、基端部２０ｂから先端部２０ａに向かう延出方向に沿って、第１屈曲点６６、第２屈曲点６８、第３屈曲点７０、第４屈曲点７２が、順に所定間隔を開けて設けられ、左右方向に蛇行する曲線で設けられている。一対の脚部２０は、まず、テープ通し部２４に連続する基端部２０ｂ近傍はテープ通し部２４から離れるに従って互いに近づくように前後方向に対して傾斜し、基端部２０ｂから少し離れた位置に第１屈曲点６６があり、第１屈曲点６６は、左右方向に一対の脚部２０が互いに離れる方向に曲がっている。第２屈曲点２８は左右方向に一対の脚部２０が互いに近づく方向に曲がっている。第３屈曲点７０は、再び一対の脚部２０が互いに離れる方向に曲げ、第４屈曲点７２は、再び一対の脚部２０が互いに近づく方向に曲がっている。脚部２０の、各屈曲点の近傍の角度は、前後方向に対して絶対値が１０°〜１５°の範囲の任意の角度であり、全てが同じでも良く、全てが異なるものでも良い。
【００３６】
このプラグ６４も、緩やかに折り曲げられて蛇行する曲線で形成され、プラグ６４とソケット１４が係合した状態でバックル１０に強い力が衝撃的に加えられても、衝撃を確実に吸収し、プラグ６４の脚部２０の破損を防ぐことができる。
【００３７】
この発明のバックルとバックル用のプラグは、上記実施形態に限定されるものではなく、係合部、ブリッジ、テープ通し部等の各部材の形状は、自由に変更可能である。
【符号の説明】
【００３８】
１０  バックル
１２，６４  プラグ
１４  ソケット
２０  脚部
２０ａ  先端部
２０ｂ  基端部
２２  係合部
２４，４２  テープ通し部（取付部）
２６，６６  第１屈曲点
２８，６８  第２屈曲点
５０  被係合部
７０  第３屈曲点
７２  第４屈曲点
【図１】
2020089630.tif 000003
【図２】
2020089630.tif 000004
【図３】
2020089630.tif 000005
【図４】
2020089630.tif 000006
【図５】
2020089630.tif 000007